(57)【特許請求の範囲】
【請求項１】
遊技玉を受け入れて遊技可能とする遊技台と、遊技台に隣接して遊技玉を貸し出す貸し出し手段と、遊技台の上部には各種の外部表示をする表示手段と、遊技台の受け皿の下方に獲得玉を貯留しておく玉箱と、玉箱から排出された獲得玉を計数する計数手段と、から構成される遊技台ユニットの背面に設置される紙幣類搬送装置であって、
紙幣類搬送装置の紙幣類導入口には、
取付け金具に取り付けた回動自在の回動金具とから成る導入口回動機構を備え、
導入口回動機構に紙幣類導入補助受け口を設け、
紙幣類導入補助受け口と遊技台ユニットの貸出手段の背面の紙幣類排出口とを連接させることを特徴とする遊技台ユニット用の紙幣類搬送装置。
【発明の詳細な説明】
【０００１】
【発明の属する技術分野】
本発明は、遊技台ユニットに備えた貸出手段に投入された紙幣類を回収する遊技台ユニット用の紙幣類搬送装置に関し、更に詳しくは紙幣類搬送装置の紙幣類導入口に設けた回動自在の導入口回動機構により、例えば傾斜型（任意の角度分傾けた傾斜島）に配設した特殊島の遊技台ユニットの貸出手段の背面の紙幣類排出口との連結可能に成り、投入された紙幣類を所定位置まで搬送することを可能にした遊技台ユニット用の紙幣類搬送装置に関するものである。
【０００２】
【従来の技術】
近年、遊技場の各島の遊技台との間に紙幣類（例えば、千円紙幣等）でも貸し出せる台間玉貸機が提供されている。該台間玉貸機に投入された紙幣類は台間玉貸機の背面より、二面直列状の直線島で背中合わせに併設された遊技島内部に直線形態で設置された紙幣類搬送装置本体内に受け入れて所定位置（島端の紙幣収納金庫内）まで搬送されている。尚、遊技島における二面直列状の直線島に水平設置された紙幣類搬送装置本体に対し各台間玉貸機は垂直と成る配置で取り付けられている。
【０００３】
前記した二面直列状の直線形態島（直線島）の島幅は、遊技店内のスペース等によっても異なるため、任意の島幅に対応させるように調節が出来る機構ものとして例えば本出願人が先に開示した実開昭６２−１９９８７９号の紙幣類搬送装置の紙幣類導入搬送機構（以下、先行文献という）がある。
【０００４】
また、昨今、二面直列状の直線形態島に代わって遊技者がゆったり遊技が出来、しかも遊技店にとっては短期間（施工期間）でいろいろなレイアウト自在（例えば、Ｌ字型や湾曲型や傾斜型等）の特殊島を配設することが可能に成った遊技台ユニットが提供されてきている。該遊技台ユニットは、例えば一台のユニット内部の揚送手段により遊技媒体（遊技玉）を内部で循環還流させるような単独設置型のタイプのものや左右前後２台計４台から成る複数設置型のタイプのものとがある。該遊技台ユニットには遊技玉を受け入れて遊技可能とする遊技台（パチンコ台又はパチスロ台）と、遊技玉を紙幣類（紙幣又はカード）の投入によって貸し出す貸出手段と、獲得した遊技玉を玉箱には積まず、その場で計数する計数手段を遊技台毎に設け、計数手段にて計数した結果を視覚を通じて外部表示させるようにしている。
【０００５】
【発明が解決しようとする課題】
しかし、前記遊技台ユニットには遊技玉を紙幣類の投入によって貸し出す貸出手段の台間玉貸機を遊技台に隣接して設けるのが必須である。特殊島として配設した遊技台ユニットに隣接する台間玉貸機がカードにより貸し出せれば支障がない。つまり、カードによる台間玉貸機であれば、投入されたカード（残額０カード等）は遊技客に返却されるため回収する設備が不要である。しかしながら、遊技場の特殊島は全てがカードによる台間玉貸機だけではなく、中には千円紙幣が使用出来る台間玉貸機を遊技台に隣接した遊技台ユニットもホール側から要望される。千円紙幣による台間玉貸機を使用可能にした遊技台ユニットにおいては投入された千円紙幣を島端の紙幣収納金庫内まで搬送しないといちいち遊技台ユニット毎に紙幣を回収しなくてはならず、店員の回収作業が増えると共に盗難の可能性が生じる。また、前記したいろいろなレイアウト（例えば、傾斜型）にした特殊島の背面側に紙幣搬送装置本体の直線部分は取り付くが、遊技台ユニットが傾斜した分の台間玉貸機と紙幣搬送装置の接続部分に何らかの角度調整するものがないと接続が出来ず、このような構成をしたものはなく、接続部分が場合によっては屈曲してしまい狭く成る故に紙幣詰まりを回避したものでないと取り付けることが出来なかった。
【０００６】
そこで、先に開示した先行文献の紙幣搬送装置の紙幣類導入搬送機構を採用しても設置される遊技島があくまで直線島であって、本発明が対象とする遊技台ユニットとは用途（レイアウト自在の特殊島への設置）が異なっている。仮に紙幣類導入搬送機構を採用しようとしても、遊技台ユニットに設けられている貸出手段の紙幣類排出口に連接する導入案内板の回動角度に余裕が無く、特殊島で島幅が狭い場合は導入搬送部に導入案内板の端部が当接してしまい、さらに段差型又は傾斜型に配設された特殊島の遊技台ユニットの設置角度によっては紙幣類導入搬送機構が機能しない場合があり、また、たとえ設置出来たとしても、導入搬送部の機構付近では紙幣詰まりが発生し、解決するまでには至っていない。
【０００７】
本発明の目的は、遊技台ユニットに備えた貸出手段に投入された紙幣類を回収する遊技台ユニット用の紙幣類搬送装置で、該紙幣類搬送装置の紙幣類導入口に設けた回動自在の導入口回動機構により、例えば傾斜型に配設した特殊島の遊技台ユニットの貸出手段の背面の紙幣類排出口と直線形態に設置した紙幣類搬送装置との連結が可能に成り、投入された紙幣類を紙幣詰まりすることなく所定位置まで搬送することが出来る遊技台ユニット用の紙幣類搬送装置を提供する。
【０００８】
【課題を解決するための手段】
上記目的を達成するため請求項１記載の遊技台ユニット用紙幣類搬送装置は、紙幣類搬送装置の紙幣類導入口には、取付け金具に取り付けた回動自在の回動金具とから成る導入口回動機構を備え、導入口回動機構に紙幣類導入補助受け口を設け、紙幣類導入補助受け口と遊技台ユニットの貸出手段の背面の紙幣類排出口とを連接させることにしたものである。
【０００９】
そのため、遊技場において施工したいろいろなレイアウト（特に、傾斜型等）の特殊島に配設した遊技台ユニットに紙幣が使用出来る台間玉貸機を備えたレイアウトの配置にしてもその遊技台ユニットの設置角度に応じて導入口回動機構が回動するので直線形態の紙幣類搬送装置を設置することでホール側から要望に応じることが出来、然も紙幣類排出口付近で紙幣詰まりが生じることなく、投入された紙幣類はスムーズに直線形態に設置した紙幣類搬送装置内に導入され、所定位置まで搬送することにより盗難防止となり店員がいちいち回収作業する必要がなくなる。
【００１０】
【発明の実施の形態】
以下、本発明の実施例の形態を図面に基づいて詳述する。図１は本発明である遊技台ユニット用の紙幣類搬送装置の状態斜視図であり、図２は同動作状態斜視図、図３は同分解斜視図、図４は同平面図、図５は同側面図である。
【００１１】
先ず、本発明の要旨である紙幣類搬送装置の導入口回動機構について説明する。１は、遊技台ユニット用の紙幣類搬送装置２の本体（直線部分）であり、１ａは遊技台ユニット２０に設けられた貸出手段２１（紙幣が使用可能な台間玉貸機である）の背面の紙幣類排出口２１ａより排出される紙幣類を本体１内に導入する導入部である。導入部１ａの両側には紙幣類導入口３が開口していて、該紙幣類導入口３には後述する回動部材である蝶番４を取り付けるための取付け金具５が固着されている。尚、図１乃至図７においては、導入部１ａの片側だけに取付け金具５が固着されているが、図８のように両面傾斜型の特殊島の場合は両側に取付け金具５を固着して使用する。
【００１２】
取付け金具５は、図３に示すように中央部が少し凸状に突出し、両側のフランジ部５ａの波板状から形成されている。該フランジ部５ａが導入部１ａにネジ５ｆにて固着され、紙幣類導入口３に覆い重なる部分を開口させて開口部５ｅと成している。また、取付け金具５の中央部５ｂの上端５ｃ及び下端５ｄには突出片６ａ、６ｂが設けられていて、該突出片６ａ、６ｂにはネジ穴６ｃが穿設されている。一方、回動金具７は両端を略コの字形の板状に形成されていて、中央部の上端及び下端には前記回動突出片７ａ、７ｂが設けられている。また、上部の突出片６ａの外側及び下部の突出片６ｂと回動金具７の回動突出片７ａ、７ｂとが当接していて、回動突出片７ａ、７ｂにはそれぞれ円弧状の長穴７ｃが穿設され、蝶番４を中心に回動金具７が回動の際、長穴７ｃの円弧を支点にして該回動金具７が回動するように成している。また、長穴７ｃにはワッシャー８を伴った固定ネジ９が該長穴７ｃと前記ネジ穴６ｃに挿入されて、蝶番４にて保持されている回動金具７の回動位置を該固定ネジ９の締め付けにより、固定できるように成している。さらに取付け金具５の開口部５ｅの上部及び下部には、蝶番４の一片が固着されていて、該蝶番４の回動中心は開口部５ｅのセンター位置となるように形成している。
【００１３】
また、該回動金具７の中央部は紙幣類導入口３を覆う状態となるため、前記取付け金具５と同様に開口し、開口部７ｄと成している。その開口部７ｄには紙幣類導入補助受け口１０が外側から、その送り出し側口１０ａが紙幣類導入口３に近接するように固着されている。
【００１４】
回動金具７の内側であって、開口部７ｄの上部及び下部には、Ｌ字片７ｆが固着されていて、該Ｌ字片７ｆには前記蝶番４の他片をネジ７ｇにて固定するため、ネジ穴７ｈが穿設されている。即ち、蝶番４は取り付け金具５及び回動金具７に固着され、回動金具７は蝶番４によって水平方向に任意の角度だけ回動自在と成っているのである。
【００１５】
紙幣類導入補助受け口１０は、断面矩形状の筒型に形成され、送り出し側口１０ａにフランジ１０ｂが設けられ、該フランジ部１０ｂはネジ１０ｃにて回動金具７に固着されている。従って、該紙幣類導入補助受け口１０は図６に示すように回動金具７と一体となって、蝶番４を中心に水平方向に回動自在（任意の角度、例えば、左右約３０度まで対応可能）に形成され、固定ネジ９により、所定位置に固定される。そして紙幣類導入補助受け口１０の受入側口１０ｄは、遊技台ユニット２０に設けられた貸出手段２１の背面の紙幣類排出口２１ａに連接される。
【００１６】
以上のように形成された導入口回動機構を備えた遊技台ユニット用の紙幣類搬送装置は、図７及び図８に示すように遊技台ユニット２０の背面に設置され、紙幣類導入補助受け口１０の受入側口１０ｄは、遊技台ユニット２０の貸出手段２１の背面の紙幣類排出口２１ａに連接する。遊技台ユニット用の紙幣類搬送装置１は複数台連接され、各導入部１ａの両側の紙幣類導入口３には取付け金具５に取り付けた回動自在の回動金具７とから成る上記導入口回動機構が設けられているため遊技台ユニット２０の設置角度に応じて回動するのである。よって、各紙幣類導入補助受け口１０の受入側口１０ｄは傾斜型（任意の角度分、ここでは約２０度傾けた傾斜島に対応が可能に成る）に配設された遊技台ユニット２０の貸出手段２１の背面の紙幣類排出口２１ａに対しても連接して隙間等が生じることがない（図８参照）。従って、貸出手段２１に投入された紙幣類は貸出手段２１の背面の紙幣類排出口２１ａより排出され紙幣類導入補助受け口１０の受入側口１０ｄに導入され、送り出し側口１０ａから排出し、次いで紙幣類導入口３より直線形態に設置された紙幣類搬送装置本体１内に確実に受け入れられ、所定位置まで搬送することが出来る。
【００１７】
次に、遊技台ユニット用の紙幣類搬送装置の紙幣類搬送機構について説明する。一実施例の紙幣類搬送装置の紙幣類搬送機構は、図４に示すように導入部１ａの内部には、モータ１１により駆動される駆動プーリ１２が内接されていて、該駆動プーリ１２には圧接ローラ１３が付勢手段（図示せず）により圧接されている。また、駆動プーリ１２と並んで導入プーリ１２ａが回動自在に設けられていて、該導入プーリ１２ａは、駆動プーリ１２と連動するように成し、駆動プーリ１２が回転すると同様に導入プーリ１２ａも回転するようになっている。さらに導入プーリ１２ａにも駆動プーリ１２と同様に圧接ローラ１３ａが付勢手段（図示せず）により圧接されている。一方駆動プーリ１２の上流側には従動プーリ１４が設けられていて、モータ１１の駆動により、駆動プーリ１２が回転し、次いで従動プーリ１４も同様に回動するように成っている。従動プーリ１４には、ガイドローラ１５が当接している。
【００１８】
紙幣類導入口３には板状の導入案内板１６が本体１の中央部に紙幣類を導入するように湾曲して設けられていて、本体１内には図１０に示すように、複数のプーリ１７が所定間隔に回転自在に設けられていて、該プーリ１７には、ガイドプーリ１８が当接している。プーリ１７には無端丸ベルト１９が装着され、該無端丸ベルト１９は、前記駆動プーリ１２にも駆け渡され、駆動プーリ１２の回転により該無端ベルト１９が回転し、プーリ１７及びガイドプーリ１８によりその厚さ方向を縦状に保持された紙幣類を下流側であるＡ方向に搬送するように成っている。従動プーリ１４には上流側に連接された遊技台ユニット用の紙幣類搬送装置２の無端丸ベルト１９ａが駆け渡され、該無端ベルト１９ａは、プーリ１７ａに巻回され、該プーリ１７ａにはガイドプーリ１８ａが当接している。
【００１９】
以上のように形成された遊技台ユニット用の紙幣類搬送装置の紙幣類導入口に紙幣類が導入されると、モータ１１が駆動し、駆動プーリ１２及び導入プーリ１２ａが回転し、紙幣類は該駆動プーリ１２と圧接ローラ１３又は導入プーリ１２ａと圧接ローラ１３ａに挟持され、導入案内板１６に沿って本体１内に搬送される。本体１においては、紙幣類はプーリ１７及びガイドプーリ１８によって挟持され、所定位置の島端の紙幣収納金庫内（図示せず）まで搬送される。
【００２０】
最後に、二面直列状の直線形態島に代わって遊技者がゆったり遊技が出来、しかも遊技店にとっては短期間（施工期間）でいろいろなレイアウト自在の特殊島を配設することが可能に成った遊技台ユニット２０について説明する。該遊技台ユニット２０は例えば図９に示すように、中央部に遊技玉を受け入れて遊技可能とする遊技台２２を設け、該遊技台２２に隣接して遊技玉を貸し出す貸出手段である貸出手段２１が設けられ、遊技台２２の上部には各種の外部表示をする表示手段２７が設けられている。また、遊技台２２の下部には遊技玉を遊技に備えて入れておくための上皿２２ａが設けられていて、その下部には下皿２２ｂが、さらにその下方には、獲得玉を貯留しておく玉箱２３が形成されている。玉箱２３の側面には計数レバー２４が設けられていて、該計数レバー２４の操作により玉箱２３の後ろ面に形成されている計数口２５が開口し、獲得玉は該計数口２５から排出されて遊技台ユニット２０の内部に設けられている計数手段である玉計数機（図示せず）に流入するように成っている。遊技台ユニット２０の底面部２０ａは延長されて、該延長された略端部には、遊技客が腰掛けるための椅子３０が固着されている。
【００２１】
ところで、３１は玉計数機に計数された獲得玉数をプリントアウトするプリンターである。また上記表示手段２７はメインランプ３２、サブランプ３３、出玉感モニター３４、液晶表示部３５から成っていて、メインランプ３２、サブランプ３３及び出玉感モニター３４は一体成形された凸状のスモークカバー３６にて覆われていて、液晶表示部３５には「打ち玉数」や「出玉数」、その差より計算される「獲得玉数」、大当たりの特賞状態の際には「大当たり」の文字や、大当たりの確率が高くなった際には「確変」が表示されるように形成され、メインランプ３２及びサブランプ３３は液晶表示部３５の表示内容にあわせて、多種の組み合わせで点灯、点滅等を行うように成っている。さらに出玉感モニター３４は１０個の玉箱ランプ３４ａで形成されていて、獲得玉数に応じて順次玉箱ランプ３４ａが１個づつ点滅から点灯へ変化するように形成されている。
【００２２】
【発明の効果】
以上の説明で明らかなように、本発明の遊技台ユニット用の紙幣類搬送装置によれば、遊技台ユニットの背面に設置される紙幣類搬送装置の紙幣類導入口には、取付け金具に取り付けた回動自在の回動金具とから成る導入口回動機構を備え、導入口回動機構に紙幣類導入補助受け口を設け、紙幣類導入補助受け口と遊技台ユニットの貸出手段の背面の紙幣類排出口とを連接させ、遊技台ユニットを任意の傾斜型に配置可能にした結果、遊技場において施工したいろいろなレイアウト（特に、傾斜型等）の特殊島に配設した遊技台ユニットに紙幣が使用出来る台間玉貸機を備えたレイアウトの配置にしてもその遊技台ユニットの設置角度に応じて回動するので直線形態の紙幣類搬送装置を設置することでホール側から要望に応じることが出来、然も紙幣類排出口付近で紙幣詰まりが生じることなく、投入された紙幣類はスムーズに直線形態に設置した紙幣類搬送装置内に導入され、所定位置まで搬送することにより盗難防止となり店員がいちいち回収作業する必要がなくなる効果を有している。
【図面の簡単な説明】
【図１】本発明の遊技台ユニット用の紙幣類搬送装置の状態斜視図である。
【図２】本発明の遊技台ユニット用の紙幣類搬送装置の動作状態斜視図である。
【図３】本発明の遊技台ユニット用の紙幣類搬送装置の分解斜視図である。
【図４】本発明の遊技台ユニット用の紙幣類搬送装置の平面図である。
【図５】本発明の遊技台ユニット用の紙幣類搬送装置の側面図である。
【図６】本発明の遊技台ユニット用の紙幣類搬送装置の導入口回動機構の状態を示す平面図である。
【図７】本発明に係る遊技台ユニット用の紙幣類搬送装置の遊技台ユニットに取り付ける状態を示す状態斜視図である。
【図８】  本発明に係る遊技台ユニット用の紙幣類搬送装置を傾斜型に配置した遊技台ユニットの背面に連結した状態を示す平面状態図である。
【図９】一実施例の遊技台ユニットの状態斜視図である。
【図１０】本発明に係る遊技台ユニット用の紙幣類搬送装置の紙幣類搬送機構を示す正面状態図である。
【符号の説明】
２      遊技台ユニット用の紙幣類搬送装置
３      紙幣類導入口
４      回動部材（蝶番）
５      取り付け金具
５ａ    フランジ部
５ｅ    開口部
７      回動金具
１０    紙幣類導入補助受け口
１０ｂ  フランジ部
１０ｄ  受入側口
２０    遊技台ユニット
２１    貸出手段
２１ａ  紙幣類排出口
【図１】
0004278195.tif 000002
【図２】
0004278195.tif 000003
【図３】
0004278195.tif 000004
【図４】
0004278195.tif 000005
【図５】
0004278195.tif 000006
【図６】
0004278195.tif 000007
【図７】
0004278195.tif 000008
【図８】
0004278195.tif 000009
【図９】
0004278195.tif 000010
【図１０】
0004278195.tif 000011